(57)【要約】【課題】  複数の印刷媒体に対して手差し印刷を行なう印刷システムにおいて、ユーザの意図しない印刷媒体への印刷を防止する。【解決手段】  複数種類の印刷媒体に対して手差し印刷を行なう印刷装置と印刷制御装置とを有する印刷システムであって、印刷媒体を指定する指示を受け付ける指示受付手段と、手差しに係る印刷媒体の種類を判別する判別手段と、指定された印刷媒体と手差しに係る印刷媒体とを比較し、両者の組合せの適否を判断する制御手段と、前記両者の組合せが不適であると判断された場合に、その旨をユーザに通知する通知手段とを備えることを特徴とする印刷システム【選択図】  図１
2006091947.tif 000002
【特許請求の範囲】
【請求項１】
複数種類の印刷媒体に対して手差し印刷を行なう印刷装置と印刷制御装置とを有する印刷システムであって、
印刷媒体を指定する指示を受け付ける指示受付手段と、
手差しに係る印刷媒体の種類を判別する判別手段と、
指定された印刷媒体と手差しに係る印刷媒体とを比較し、両者の組合せの適否を判断する制御手段と、
前記両者の組合せが不適であると判断された場合に、その旨をユーザに通知する通知手段とを備えることを特徴とする印刷システム。
【請求項２】
複数種類の印刷媒体に対して手差し印刷を行なう印刷装置に印刷データを出力する印刷制御装置であって、
印刷媒体を指定する指示を受け付ける指示受付手段と、
指定された印刷媒体が、特定の印刷媒体であるかどうかの情報を前記印刷データとともに前記印刷装置に出力する出力手段と、
前記印刷装置から、指定された印刷媒体と手差しに係る印刷媒体との組み合わせが不適である旨の情報を受け付けると、手差しに係る印刷媒体が不適である旨を表示する表示手段とを備えることを特徴とする印刷制御装置。
【請求項３】
複数種類の印刷媒体に対して手差し印刷を行なう印刷装置に印刷データを出力する印刷制御装置であって、
印刷媒体を指定する指示を受け付ける指示受付手段と、
指定された印刷媒体を示す情報を前記印刷データとともに前記印刷装置に出力する出力手段と、
前記印刷装置から、指定された印刷媒体と手差しに係る印刷媒体との組み合わせが不適である旨の情報を受け付けると、手差しに係る印刷媒体が不適である旨を表示する表示手段とを備えることを特徴とする印刷制御装置。
【請求項４】
複数種類の印刷媒体に対して手差し印刷を行なう印刷装置に印刷データを出力する印刷制御装置としてコンピュータを機能させるプリンタドライバであって、
印刷媒体を指定する指示を受け付ける指示受付手段と、
指定された印刷媒体が、特定の印刷媒体であるかどうかの情報を前記印刷データとともに前記印刷装置に出力する出力手段と、
前記印刷装置から、指定された印刷媒体と手差しに係る印刷媒体との組み合わせが不適である旨の情報を受け付けると、手差しに係る印刷媒体が不適である旨を表示する表示手段としてコンピュータを機能させることを特徴とするプリンタドライバ。
【請求項５】
複数種類の印刷媒体に対して手差し印刷を行なう印刷装置に印刷データを出力する印刷制御装置としてコンピュータを機能させるプリンタドライバであって、
印刷媒体を指定する指示を受け付ける指示受付手段と、
指定された印刷媒体を示す情報を前記印刷データとともに前記印刷装置に出力する出力手段と、
前記印刷装置から、指定された印刷媒体と手差しに係る印刷媒体との組み合わせが不適である旨の情報を受け付けると、手差しに係る印刷媒体が不適である旨を表示する表示手段としてコンピュータを機能させることを特徴とするプリンタドライバ。
【請求項６】
請求項４または５に記載のプリンタドライバを記録したコンピュータ読み取り可能な記録媒体。
【請求項７】
印刷制御装置から送られる印刷データにしたがって、複数種類の印刷媒体に対して手差し印刷を行なう印刷装置であって、
手差しに係る印刷媒体の種類が特定の印刷媒体であるかどうかを判別する判別手段と、
前記印刷制御装置から前記印刷データが対象とする印刷媒体の種類に関する情報を受信する受信手段と、
前記印刷データが対象とする印刷媒体と手差しに係る印刷媒体とを比較し、両者の組合せの適否を判断する制御手段と、
前記両者の組合せが不適であると判断された場合に、その旨を前記印刷制御装置に通知する通知手段とを備えることを特徴とする印刷装置。
【請求項８】
印刷制御装置から送られる印刷データにしたがって、複数種類の印刷媒体に対して手差し印刷を行なう印刷装置であって、
手差しに係る印刷媒体の種類を判別する判別手段と、
前記印刷制御装置から前記印刷データが対象とする印刷媒体の種類に関する情報を受信する受信手段と、
前記印刷データが対象とする印刷媒体と手差しに係る印刷媒体とを比較し、両者の組合せの適否を判断する制御手段と、
前記両者の組合せが不適であると判断された場合に、その旨を前記印刷制御装置に通知する通知手段とを備えることを特徴とする印刷装置。
【請求項９】
請求項７に記載の印刷装置であって、
前記判別手段が判別する前記特定の種類の印刷媒体は、ディスク型の記録媒体であることを特徴とする印刷装置。
【発明の詳細な説明】
【技術分野】
【０００１】
本発明は、印刷装置と印刷制御装置とを有する印刷システムに係り、特に、複数の印刷媒体に対して手差し印刷を行なう印刷システムに関する。
【背景技術】
【０００２】
ＣＤ、ＤＶＤ等のディスク型の記録媒体（以下「ＣＤ／ＤＶＤ」と称する）のレーベル面を対象とした印刷が可能なプリンタが実用化されている。このようなプリンタでは、ＣＤ／ＤＶＤを専用のトレイに載置した状態で、手差し給紙により印刷が行なわれる。
【０００３】
また、印刷品質の向上により、いわゆる写真印刷が個人・家庭向きのプリンタでも行われているが、印刷を行なった写真をそのまま飾ることができるように写真スタンドとして組み立て可能な構造を有した厚手の写真用紙が市販されている。このような厚手の写真用紙も手差し給紙により印刷が行なわれる。
【発明の開示】
【発明が解決しようとする課題】
【０００４】
従来、プリンタは、手差し用の給紙装置に印刷媒体がセットされているときに、ホストコンピュータから印刷データが送られてくると、その印刷媒体が何であるかにかかわらず手差しの印刷を実行していた。
【０００５】
このため、ユーザがＣＤ／ＤＶＤのレーベル用の印刷データをプリンタに送ったにもかかわらず、プリンタの手差し給紙装置に厚手の写真用紙がセットされている場合、また、逆に、厚手の写真用紙用の印刷データ送ったにもかかわらず、ＣＤ／ＤＶＤがセットされている場合でも印刷が行なわれていた。
【０００６】
一般に、これらの印刷媒体は普通紙に比べ高価であるため、意図しない印刷は避けた方が望ましい。
【０００７】
本発明は、複数の印刷媒体に対して手差し印刷を行なう印刷システムにおいて、ユーザの意図しない印刷媒体への印刷を防止することを目的とする。
【課題を解決するための手段】
【０００８】
上記課題を解決するための本発明の第１の態様である印刷システムは、
複数種類の印刷媒体に対して手差し印刷を行なう印刷装置と印刷制御装置とを有する印刷システムであって、
印刷媒体を指定する指示を受け付ける指示受付手段と、
手差しに係る印刷媒体の種類を判別する判別手段と、
指定された印刷媒体と手差しに係る印刷媒体とを比較し、両者の組合せの適否を判断する制御手段と、
前記両者の組合せが不適であると判断された場合に、その旨をユーザに通知する通知手段とを備えることを特徴とする。
【０００９】
これにより、ユーザは、意図しない印刷媒体への手差し印刷が行なわれようとしていることを認識することができる。
【００１０】
上記課題を解決するための本発明の第２の態様である印刷制御装置は、
複数種類の印刷媒体に対して手差し印刷を行なう印刷装置に印刷データを出力する印刷制御装置であって、
印刷媒体を指定する指示を受け付ける指示受付手段と、
指定された印刷媒体が、特定の印刷媒体であるかどうかの情報を前記印刷データとともに前記印刷装置に出力する出力手段と、
前記印刷装置から、指定された印刷媒体と手差しに係る印刷媒体との組み合わせが不適である旨の情報を受け付けると、手差しに係る印刷媒体が不適である旨を表示する表示手段とを備えることを特徴とする。
【００１１】
ここで、指定された印刷媒体が、特定の印刷媒体であるかどうかの情報に代え、指定された印刷媒体を示す情報を前記印刷装置に出力するようにしてもよい。
【００１２】
上記課題を解決するための本発明の第３の態様であるプリンタドライバは、
複数種類の印刷媒体に対して手差し印刷を行なう印刷装置に印刷データを出力する印刷制御装置としてコンピュータを機能させるプリンタドライバであって、
印刷媒体を指定する指示を受け付ける指示受付手段と、
指定された印刷媒体が、特定の印刷媒体であるかどうかの情報を前記印刷データとともに前記印刷装置に出力する出力手段と、
前記印刷装置から、指定された印刷媒体と手差しに係る印刷媒体との組み合わせが不適である旨の情報を受け付けると、手差しに係る印刷媒体が不適である旨を表示する表示手段としてコンピュータを機能させることを特徴とする。
【００１３】
上記課題を解決するための本発明の第４の態様である印刷装置は、
印刷制御装置から送られる印刷データにしたがって、複数種類の印刷媒体に対して手差し印刷を行なう印刷装置であって、
手差しに係る印刷媒体の種類が特定の印刷媒体であるかどうかを判別する判別手段と、
前記印刷制御装置から前記印刷データが対象とする印刷媒体の種類に関する情報を受信する受信手段と、
前記印刷データが対象とする印刷媒体と手差しに係る印刷媒体とを比較し、両者の組合せの適否を判断する制御手段と、
前記両者の組合せが不適であると判断された場合に、その旨を前記印刷制御装置に通知する通知手段とを備えることを特徴。
【００１４】
ここで、手差しに係る印刷媒体の種類が特定の印刷媒体であるかどうかを判別する判別手段に代え、手差しに係る印刷媒体の種類を判別する判別手段としてもよい。
【００１５】
また、前記判別手段が判別する前記特定の種類の印刷媒体は、ディスク型の記録媒体とすることができる。
【発明を実施するための最良の形態】
【００１６】
本発明の実施の形態について図面を参照して説明する。
【００１７】
図１は、本発明を適用した印刷システムのハードウェア構成の概要を説明するためのブロック図である。
【００１８】
本図に示すように、印刷システムは、アプリケーションソフトウェアによる各種処理、プリンタドライバによる印刷処理等を実現するためのコンピュータ３０と、このコンピュータ３０に接続される複合機１０とを備えて構成される。複合機１０は、画像読み取り機能（スキャナ機能）を備えたプリンタ装置である。
【００１９】
本実施形態において、コンピュータ３０は、印刷データを生成し、複合機１０に送信する印刷制御装置として機能する。そして、複合機１０は、受信した印刷データに基づいて印刷を行なう印刷装置として機能する。
【００２０】
コンピュータ３０を印刷制御装置として機能させるためのコンピュータプログラムであるプリンタドライバは、一般に複合機１０のメーカによって複合機１０対応に開発され、ＣＤ−ＲＯＭ等の記録媒体に記録されて頒布されたり、インターネット等のコンピュータネットワークを介して流通される。なお、印刷システムの構成はこれに限られない。
【００２１】
コンピュータ３０は、各種プログラムを実行するＣＰＵ（Central Processing Unit）、データおよびプログラム等を一時的に記憶するＲＡＭ（Random Access Memory）、コンピュータ３０を制御するための各種データ、各種プログラム等があらかじめ不揮発的に記憶されているＲＯＭ（Read Only Memory）等を備えた制御部３１と、および、接続されたの周辺装置とのデータの送受信をつかさどる入出力インタフェース部３２とを備えて構成される。
【００２２】
また、コンピュータ３０には、カラーディスプレイ等の表示装置２１、マウス、キーボード等の入力装置２２、ＣＤ−ＲＯＭ等の記録媒体からデータを読み取るメディア読取装置２３、補助記憶装置２４、インターネット等のコンピュータネットワークに接続するための通信制御装置２５等が接続される。ただし、コンピュータ３０の構成はこれに限られない。
【００２３】
複合機１０は、ＣＰＵ、ＲＡＭ、ＲＯＭ等を備え複合機１０の各処理を制御する制御部１１と、原稿台に置かれた原稿から反射光を読み取って画像データに変換するスキャナ部１２と、画像データに基づいて印刷を行なうプリンタ部１３と、コンピュータ３０と通信を行なうための入出力インタフェース部１４と、ユーザからの指示を受け付けたり、複合機１０の状態等を表示するためのユーザインタフェース部１５とを備えて構成される。ただし、複合機１０の構成はこれに限られない。
【００２４】
複合機１０は、スキャナ部１２で読み取った原稿を、プリンタ部１３で印刷できるとともに、コンピュータ３０から送られる印刷データに基づいて、プリンタ部１３で印刷することができる。
【００２５】
スキャナ部１２は、光源、レンズ、走査用モータ、ＣＣＤ（Charge Coupled Devic）センサ等から構成される読取エンジン部１２ａと、Ａ／Ｄ変換部１２ｂとを備えている。読取エンジン部１２ａは、原稿に光を当てながら走査し、その反射光を赤（Ｒ）、緑（Ｇ）、青（Ｂ）のフィルタをかけたＣＣＤセンサに導く処理を行なう。Ａ／Ｄ変換部１２ｂは、ＣＣＤセンサが読み取ったＲＧＢそれぞれについての濃淡のアナログ情報をデジタル信号化（ＲＧＢ信号）して画像データとして出力する。
【００２６】
プリンタ部１３は、インクジェット方式のカラープリンタとすることができる。インクジェット方式のカラープリンタは、筐体内にインクを充填したインクカートリッジを複数備え、このインクを印刷ヘッドに設けられた複数のノズルから印刷用紙等の印刷媒体に吹き付けて印刷を行なう。ただし、プリンタ部１３としてレーザ方式のプリンタを用いるようにしてもよい。
【００２７】
プリンタ部１３は、画像処理部１３ａと印刷エンジン部１３ｂとを備えている。
【００２８】
画像処理部１３ａは、スキャナ部１２が取得した画像データに基づいて印刷エンジン部１３ｂが可能なイメージデータを生成したり、コンピュータ３０から送られた印刷データに基づいてイメージデータを生成する処理を行なう。
【００２９】
印刷エンジン部１３ｂは、印字機構、給排紙機構等を備え、イメージデータに基づいて、複合機１０にセットされた印刷媒体に印刷を行なう。本実施形態において印刷エンジン部１３ｂは、給紙機構として２つの自動給紙装置に加え、手差し給紙口１０７を備えている。この給紙装置は後述するように複合機１０の筐体の前面に設けられている。手差し給紙口１０７は、専用トレイに収められたＣＤ／ＤＶＤ等のレーベル印刷、厚手の写真用紙等の印刷時に用いられる。
【００３０】
また、印刷エンジン部１３ｂには、手差し給紙口１０７にＣＤ／ＤＶＤの専用トレイがセットされていることを検知するためのセンサ１０３ｂが設けられている。
【００３１】
ユーザインタフェース部１５は、例えば、操作ボタンと液晶表示装置とを備えた表示パネルを用いて構成することができる。
【００３２】
図２は、本発明を適用したコンピュータ３０の機能構成を示すブロック図である。
【００３３】
本図に示すようにコンピュータ３０は、アプリケーション部３１０と、オペレーティングシステム（ＯＳ）部３２０と、プリンタドライバ部３３０とを有している。
【００３４】
アプリケーション部３１０は、ワードプロセッサ、グラフィックス等の処理をコンピュータ３０に行なわせるための機能を有しており、アプリケーションプログラムを制御部３１が実行することによりコンピュータ３０上に構築される。アプリケーション部３１０は、この実施形態の印刷対象であるドキュメント３１１を記憶している。
【００３５】
オペレーティングシステム部３２０は、プリンタドライバ部３３０の動作を管理する印刷制御部３２１と、複合機１０に印刷コマンドから構成される印刷データを出力したり、複合機１０からの情報を入力するＩ／Ｏ部３２２とを有している。
【００３６】
プリンタドライバ部３３０は、ドキュメント３１１に関する描画コマンドをスプールファイル３３２に記憶させるスプーラ３３１と、スプールファイル３３２に記憶された描画コマンドに基づいて、複合機１０が解釈できる印刷コマンドを作成する印刷コマンド作成部３３３と、表示装置２１、入力装置２３を制御するユーザインタフェース（ＵＩ）制御部３３５と、このユーザインタフェース制御部３３５から送られてくる印刷条件を管理したり、複合機１０からのステータス情報を取得する印刷条件管理部３３４とを有している。
【００３７】
プリンタドライバ部３３０は、複合機１０のメーカ等が開発したプリンタドライバプログラムを、コンピュータ３０の制御部３１が実行することによりコンピュータ３０上に構築される。プリンタドライバプログラムは、ＣＤ−ＲＯＭ等の記録媒体に記録することで市場に流通させることができる。また、インターネット等のコンピュータネットワークを介して市場に流通させることもできる。
【００３８】
なお、本実施形態において、プリンタドライバ部３３０は、複合機１０における手差し印刷を処理することができる。手差し印刷の対象は、ＣＤ／ＤＶＤ等のディスクのレーベル面と、厚手の写真用紙とすることができる。ここで、ＣＤ／ＤＶＤ等のディスクは、専用のトレイに載置された状態で手差しの給紙が行なわれる。また、厚手の写真用紙は、例えば、写真スタンドとして組み立て可能な構造を有しており、手差し印刷により印刷を行なった写真をそのまま飾ることができるような用紙とすることができる。以降では、厚手の写真用紙は「フォトスタンド」とも称するものとする。ただし、この他の印刷媒体に対しても手差し印刷処理を行なえるようにしてもよい。
【００３９】
図５は、ＣＤ／ＤＶＤレーベル印刷時の専用のトレイであるＣＤ／ＤＶＤトレイ１２０を説明するため図である。本図に示すようにＣＤ／ＤＶＤトレイ１２０は、ＣＤ／ＤＶＤ１３０を載置するための窪み１２０ａが設けられており、ＣＤ／ＤＶＤ１３０はレーベル面を上にして、窪み１２０ａにセットされる。
【００４０】
また、ＣＤ／ＤＶＤトレイ１２０の表面には、手差し印刷の際の位置決めに用いられるマーク１２０ｂが付されている。複合機１０に設けられたセンサ１０３ｂは、マーク１２０ｂを検出することで、ＣＤ／ＤＶＤトレイ１２０が手差し給紙口１０７にセットされていることを検知することができ、また、印刷エンジン部１３ｂは、検出されたマーク１２０ｂの位置をにより、ＣＤ／ＤＶＤトレイ１２０に載置されたＣＤ／ＤＶＤ１３０の印刷位置の微調整を行なう。逆に、センサ１０３ｂは、マーク１２０ｂを検出しない場合には、ＣＤ／ＤＶＤトレイ１２０は手差し給紙口１０７にセットされていないと判断することができる。
【００４１】
図３は、複合機１０の略断面を説明するための模式図である。本図に示すように、複合機１０は、背面給紙口１０５と前面給紙口１０６との２つの自動給紙装置を備えており、それぞれに印刷用紙１１０ａ、印刷用紙１１０ｂがセットされている。これらの印刷用紙１１０は、例えば、普通紙、自動給紙が可能な薄手の写真用紙等とすることができる。
【００４２】
複数のローラ１０８により、背面給紙口１０５あるいは前面給紙口１０６から給紙された印刷用紙１１０は、インクカートリッジを搭載したキャリッジ１０３に備えられた印字ヘッドから吐出されたインク滴により印刷面に画像が形成される。印刷された印刷用紙は、複数のローラ１０８により、排紙口１０７から排出される。
【００４３】
排紙口１０７の下部には、手差し印刷時に用いる手差し用ガイド１０９が引き出し可能に設けられている。すなわち、手差し印刷時には、手差し用ガイド１０９が引き出され、排紙口１０７が手差し給紙口１０７として用いられることになる。
【００４４】
手差し用ガイド１０９は、ＣＤ／ＤＶＤトレイあるいは厚手の写真用紙をセットする位置が示されており、ユーザがＣＤ／ＤＶＤトレイあるいは厚手の写真用紙を適切な位置にセットできるようになっている。
【００４５】
また、スキャナ部１２の機構として、原稿台１０１と、原稿を走査するラインセンサ１０２とを備え、ユーザインタフェース部１５の機構として操作パネル１０４を備えている。
【００４６】
図４は、複合機１０の手差し給紙機構を説明するための図である。本図では、ＣＤ／ＤＶＤトレイ１２０が手差し給紙されている場合を例に説明する。
【００４７】
本図に示すように、手差し給紙を行なう場合には、ユーザは、手差し用ガイド１０９を引き出して、手差し用ガイド１０９の所定の位置にＣＤ／ＤＶＤトレイ１２０をセットする。すると、ローラ１０８により、ＣＤ／ＤＶＤトレイ１２０は、キャリッジ１０３方向に引き込まれる。
【００４８】
ここで、キャリッジ１０３の印字ヘッド１０３ａ近傍にはセンサ１０３ｂが設けられている。センサ１０３ｂは、例えば、光学センサとすることができ、ＣＤ／ＤＶＤトレイ１２０を引き込んだ際に、ＣＤ／ＤＶＤトレイ１２０に付されたマーク１２０ｂを検出することで、ＣＤ／ＤＶＤトレイ１２０が給紙されたことを検知することができる。
【００４９】
一方、マーク１２０ｂが検出されない場合には、ＣＤ／ＤＶＤトレイ１２０以外の印刷媒体が給紙されたと判断することができる。
【００５０】
なお、センサ１０３ｂは、光学センサに限られず、種々の方式を用いることができる。また、ＣＤ／ＤＶＤトレイ１２０かそれ以外の印刷媒体であるかの検知だけでなく、それ以外の印刷媒体が何であるかも検知するようにしてもよい。
【００５１】
つぎに、本実施形態において手差し印刷処理を行なう場合のプリンタドライバ部３３０の処理について説明する。
【００５２】
プリンタドライバ部３３０のユーザインタフェース制御部３３５は、例えば、ユーザからのメニュー操作により、図６に一例を示すような基本設定画面７００を表示装置２１に表示させる。
【００５３】
ユーザは、基本設定画面７００の用紙種類選択欄７０１で、印刷に用いる印刷媒体を指定することができる。印刷媒体としては、自動給紙装置（背面給紙口１０５、前面給紙口１０６）から給紙を行なう普通紙、光沢紙等の他に、手差しで印刷を行なうＣＤ／ＤＶＤレーベル、フォトスタンドを選択することができる。本実施形態では、ＣＤ／ＤＶＤレーベル、フォトスタンドのいずれかが選択されるものとする。これにより、プリンタドライバ部３３０は、ＣＤ／ＤＶＤレーベル、フォトスタンドのいずれかが印刷対象となっていることを知ることができる。
【００５４】
また、プリンタドライバ部３３０のユーザインタフェース制御部３３５は、例えば、ユーザからのメニュー操作により、図７に一例を示すような用紙設定画面７２０を表示装置２１に表示させる。
【００５５】
ユーザは、用紙設定画面７２０の給紙方法選択欄７２１で、複合機１０における給紙方法を指定することができる。給紙方法としては、自動給紙装置を使用する「自動給紙選択」「背面オートシートフィーダ（背面給紙口１０５）」の他に、手差し給紙口１０７から給紙を行なう「手差し（定形紙）」を選択することができる。本実施形態では、「手差し（定形紙）」が選択されるものとする。
【００５６】
また、図８に示すように、ユーザは、用紙設定画面７２０の用紙サイズ選択欄７２２で、印刷媒体の用紙サイズを指定することができる。用紙サイズは、手差し給紙の場合、ＣＤ／ＤＶＤトレイのＡ４サイズかフォトスタンドの２Ｌ判サイズのいずれかとなる。
【００５７】
このようにプリンタドライバ部３３０は、ユーザの設定に基づいて、手差し印刷の場合に、ユーザが意図する印刷対象がＣＤ／ＤＶＤであるかフォトスタンドであるかを判別することができる。
【００５８】
印刷実行の指示を受け付けると、プリンタドライバ部３３０は、ドキュメント３１１の印刷のための印刷コマンドを生成して複合機１０に印刷データとして送信する。この際に、給紙方法が手差しであること、および、印刷対象が、ＣＤ／ＤＶＤであるかフォトスタンドであるかを判別するための情報を印刷データに含めるようにする。この情報は、例えば、フォトスタンドであるかそれ以外であるかを示す情報としてもよい。
【００５９】
つぎに、両面印刷を行なう場合の複合機１０の処理について図９のフロー図を参照して説明する。
【００６０】
まず、複合機１０の入出力インタフェース部１４は、コンピュータ３０から送られた印刷データを受信する（Ｓ１０１）。
【００６１】
制御部１１は、印刷データを解釈して、手差し印刷が設定されているかどうかを判断する（Ｓ１０２）。
【００６２】
その結果、手差し印刷が設定されていない場合（Ｓ１０２：Ｎ）には、自動給紙装置（背面給紙口１０５、前面給紙口１０６）から給紙する通常印刷処理を行なう（Ｓ１０３）。
【００６３】
一方、手差し印刷が設定されている場合（Ｓ１０２：Ｙ）には、制御部１１は印刷データを解釈して、印刷対象がフォトスタンドであるかを判別する（Ｓ１０４）。
【００６４】
一方で、センサ１０３ｂの検出結果に基づいて、手差し給紙口１０７にＣＤ／ＤＶＤトレイ１２０がセットされているかどうかを判別する（Ｓ１０５）。
【００６５】
そして、印刷データに基づいて判別した結果と、センサ１０３ｂの検出結果に基づいて判別した結果とを比較して、ユーザの意図通りの印刷媒体がセットされているかどうかをを判断する（Ｓ１０７）。
【００６６】
すなわち、印刷データは印刷対象がフォトスタンドであることを示しており、手差し給紙口１０７にはＣＤ／ＤＶＤトレイ１２０がセットされていない場合、印刷データは印刷対象がフォトスタンドでないことを示しており、手差し給紙口１０７にはＣＤ／ＤＶＤトレイ１２０がセットされている場合等は、ユーザの意図通りの印刷媒体がセットされていると判断する。
【００６７】
一方、印刷データは印刷対象がフォトスタンドであることを示しているのに、手差し給紙口１０７にはＣＤ／ＤＶＤトレイ１２０がセットされている場合、印刷データは印刷対象がフォトスタンドでないことを示しているのに、手差し給紙口１０７にはＣＤ／ＤＶＤトレイ１２０がセットされていない場合等には、ユーザの意図通りの印刷媒体がセットされていないと判断する。
【００６８】
なお、この判断基準は印刷データに含まれる印刷対象情報、センサ１０３ｂの検出対象に応じて適宜変更することができる。
【００６９】
この結果、ユーザの意図通りの印刷媒体がセットされていると判断した場合（Ｓ１０６：Ｙ）には、手差し印刷を実行する（Ｓ１０７）。
【００７０】
一方、ユーザの意図通りの印刷媒体がセットされていないと判断した場合（Ｓ１０６：Ｎ）には、印刷処理を中断し、コンピュータ３０に印刷媒体が適正でない旨を報告する（Ｓ１０８）。この報告を受けたプリンタドライバ部３３０は、手差し給紙口１０７に印刷媒体が正しくセットされていない旨をユーザに警告する。
【００７１】
図１０は、複合機１０から印刷媒体が適正でない旨の報告を受けた場合に、プリンタドライバ部３３０のユーザインタフェース制御部３３５が表示する警告画面７４０の一例を示す図である。
【００７２】
本図に示すように警告画面７４０には、ＣＤ／ＤＶＤトレイ、またはフォトスタンド紙が正しくセットされていないことを通知する情報と、正しくセットすることを促す情報が表示される。
【００７３】
また、印刷を中止するための印刷中止ボタン７４１も設けられており、プリンタドライバ部３３０は、印刷中止ボタン７４１のクリックを受け付けると手差し印刷を中止する。
【００７４】
一方、複合機１０は、ユーザにより手差し給紙口１０７に正しい印刷媒体がセットされ、操作パネル１０４の所定のボタンが押されると手差し印刷を再開する。
【図面の簡単な説明】
【００７５】
【図１】印刷システムのハードウェア構成の概要を説明するためのブロック図である。
【図２】コンピュータ３０の機能構成を示すブロック図である。
【図３】複合機１０の略断面を説明するための模式図である。
【図４】複合機１０の手差し給紙機構を説明するための図である。
【図５】ＣＤ／ＤＶＤトレイ１２０を説明するための図である。
【図６】基本設定画面７００の一例を示す図である。
【図７】用紙設定画面７２０の給紙方法選択欄の一例を示す図である。
【図８】用紙設定画面７２０の用紙サイズ選択欄の一例を示す図である。
【図９】手差し印刷を行なう場合の複合機１０の処理を説明するフロー図である。
【図１０】警告画面７４０の一例を示す図である。
【符号の説明】
【００７６】
１０…複合機、１１…制御部、１２…スキャナ部、１２ａ…読取エンジン部、１２ｂ…Ａ／Ｄ変換部、１３…プリンタ部、１３ａ…画像処理部、１３ｂ…印刷エンジン部、１４…入出力インタフェース部、１５…ユーザインタフェース部、２１…表示装置、２２…入力装置、２３…メディア読取装置、２３…入力装置、２４…補助記憶装置、２５…通信制御装置、３０…コンピュータ、３１…制御部、３２…入出力インタフェース部、１０１…原稿台、１０２…ラインセンサ、１０３…キャリッジ、１０３ａ…印字ヘッド、１０３ｂ…センサ、１０４…操作パネル、１０５…背面給紙口、１０６…前面給紙口、１０７…排紙口（手差し給紙口）、１０８…ローラ、１０９…手差し用ガイド、１１０…印刷用紙、１２０…ＣＤ／ＤＶＤトレイ、１３０…ＣＤ／ＤＶＤ、３１０…アプリケーション部、３１１…ドキュメント、３２０…オペレーティングシステム部、３２１…印刷制御部、３２２…Ｉ／Ｏ部、３３０…プリンタドライバ部、３３１…スプーラ、３３２…スプールファイル、３３３…印刷コマンド作成部、３３４…印刷条件管理部、３３５…ユーザインタフェース制御部
【図１】
2006091947.tif 000003
【図２】
2006091947.tif 000004
【図３】
2006091947.tif 000005
【図４】
2006091947.tif 000006
【図５】
2006091947.tif 000007
【図６】
2006091947.tif 000008
【図７】
2006091947.tif 000009
【図８】
2006091947.tif 000010
【図９】
2006091947.tif 000011
【図１０】
2006091947.tif 000012